(57)【要約】【課題】  原音響信号に含まれる所定種類の音声に関する音像位置を選択的に変化させる。【解決手段】  抽出処理部２３０Ａが、音声コンテンツ作成者が意図したチャンネル構成（２チャンネル構成）の信号から、指定された種類の音声の信号成分を抽出する。そして、信号補正部２４０Ａが、音声コンテンツ作成者が意図したチャンネル構成の信号が適宜分配されて生成された分配チャンネル信号ＤＣＡL〜ＤＣＡSRのそれぞれに、指定された種類の音声の音像位置の補正量に対応して分配チャンネル信号ＤＣＡL〜ＤＣＡSRごとに定める比率で、抽出結果信号ＥＤＡを加算する。【選択図】  図４
2009159428.tif 000002
【特許請求の範囲】
【請求項１】
複数である第１の数のスピーカから音場空間へ向けて音声を出力する音響装置であって、
第２の数のチャンネル信号を含む第１音響信号から前記複数のスピーカそれぞれに対応する第２音響信号を生成する生成手段と；
前記第１音響信号に含まれる所定種類の音声の信号を抽出する抽出手段と；
前記所定種類の音声の前記音場空間における音像位置に対応して前記スピーカごとに定められた比率で、前記抽出手段による抽出結果を前記第２音響信号における前記複数のスピーカそれぞれに対応する信号に加算する補正手段と；
を備えることを特徴とする音響装置。
【請求項２】
前記第２の数は、前記第１の数と異なっている、ことを特徴とする請求項１に記載の音響装置。
【請求項３】
前記第２の数は、複数であり、
前記抽出手段は、
前記複数のチャンネル信号における前記所定種類の音声を主成分とする信号とは異なる信号のそれぞれにおける前記所定種類の音声の信号成分を抽出する個別抽出手段と；
前記個別抽出手段により抽出された前記複数のチャンネル信号のそれぞれにおける抽出信号を加算する加算手段と；を備える、
ことを特徴とする請求項１又は２に記載の音響装置。
【請求項４】
前記個別抽出手段は、複数のチャンネル信号のそれぞれについて、時間領域演算を行う適応フィルタである、ことを特徴とする請求項３に記載の音響装置。
【請求項５】
前記抽出手段は、前記加算手段による加算結果における前記所定種類の音声に対応する帯域成分を選択的に通過させる加算結果フィルタリング手段を更に備える、ことを特徴とする請求項３又は４に記載の音響装置。
【請求項６】
前記加算手段は、前記所定種類の音声を主成分とする信号を更に加算する、ことを特徴とする請求項３〜５のいずれか一項に記載の音響装置。
【請求項７】
前記抽出手段は、前記所定種類の音声を主成分とする信号における前記所定種類の音声に対応する帯域成分を選択的に通過させる直接フィルタリング手段を更に備える、ことを特徴とする請求項３〜５のいずれか一項に記載の音響装置。
【請求項８】
前記所定種類の音声の指定に従って、前記抽出手段により抽出される音声の種類を制御する抽出制御手段を更に備える、ことを特徴とする請求項１〜７のいずれか一項に記載の音響装置。
【請求項９】
前記音像位置の指定に従って、前記比率を前記補正手段に対して指定する補正制御手段を更に備える、ことを特徴とする請求項１〜８のいずれか一項に記載の音響装置。
【請求項１０】
移動体に搭載される、ことを特徴とする請求項１〜９のいずれか一項に記載の音響装置。
【請求項１１】
複数のスピーカから音場空間へ向けて音声を出力する音響装置において使用される音像設定方法であって、
前記スピーカの数とは異なる数のチャンネル信号を含む第１音響信号から前記複数のスピーカそれぞれに対応する第２音響信号を生成する生成工程と；
前記第１音響信号に含まれる所定種類の音声の信号を抽出して補正用抽出信号を生成する抽出工程と；
前記所定種類の音声の前記音場空間における音像位置に対応して前記スピーカごとに定められた比率で、前記補正用抽出信号を前記第２音響信号における前記複数のスピーカそれぞれに対応する信号に加算する補正工程と；
を備えることを特徴とする音像設定方法。
【請求項１２】
請求項１１に記載の音像設定方法を演算手段に実行させる、ことを特徴とする音像設定プログラム。
【請求項１３】
請求項１２に記載の音像設定プログラムが、演算手段により読み取り可能に記録されている、ことを特徴とする記録媒体。
【発明の詳細な説明】
【技術分野】
【０００１】
本発明は、音響装置、音像設定方法、音像設定プログラム、及び、当該音像設定プログラムが記録された記録媒体である。
【背景技術】
【０００２】
従来から、ＣＤ（Compact Disk）やＤＶＤ（Digital Versatile Disk）等の普及に伴って、複数のスピーカを有するマルチチャンネルサラウンド方式の音響装置が普及している。これにより、家庭内空間や車両内空間においても、臨場感溢れるサラウンド音声を楽しむことができるようになってきている。
【０００３】
ところで、音響装置の設置環境は様々である。このため、音声を出力する複数のスピーカを、マルチチャンネルサラウンド方式の観点における対称性を有する位置に配置することができない場合がしばしば発生する。特に、車両にマルチチャンネルサラウンド方式の音響装置を搭載する場合には、聴取位置である着座位置の制約等から、聴取位置に対して、複数のスピーカを、マルチチャンネルサラウンド方式の観点から推奨される対称性を有する位置に配置することができない。
【０００４】
このため、音声コンテンツの作成者の意図とは異なる聴取位置に対する複数のスピーカの配置で音声コンテンツを再生することになる場合がある。こうした場合には、例えば、セリフ音声を含む音声コンテンツにおいて、コンテンツ作成者としては、聴取者の正面にセリフ音声の音像を設定することを意図していた場合であっても、セリフ音声の音像位置が聴取者の正面からずれてしまうことがある。
【０００５】
かかる事態が発生した場合に、音響装置として標準的に搭載されているバランス制御機能やフェーダ制御機能を利用して音像位置を移動させる技術（特許文献１参照）を適用することにより対処することが一般的に行なわれている（以下、「従来例」という）。
【０００６】
【特許文献１】特開２０００−１９７１９８号公報
【発明の開示】
【発明が解決しようとする課題】
【０００７】
上述した従来例の技術では、上記のようなセリフ音声を含む音声コンテンツの再生に際して、セリフ音声の音像を移動させるその移動量を同じ量だけ、例えば、バックグラウンドミュージック音声の音像や背景音の音像等の他の音声の音像も移動してしまう。このため、音像移動により、他の音声についてバランスがくずれてしまい、再生音全体としては聞きづらいものになってしまうことがある。
【０００８】
このため、所定種類の音声についてだけ音像位置を移動させ、マルチチャンネルサラウンド環境において、利用者にとって快適な音声再生を行うことができる技術が待望されている。かかる要請に応えることが、本発明が解決しようとする課題の一つとして挙げられる。
【０００９】
本発明は、上記の事情を鑑みてなされたものであり、原音響信号に含まれる所定種類の音声に関する音像位置を選択的に変化させることができる音響装置及び音像設定方法を提供することを目的とする。
【課題を解決するための手段】
【００１０】
請求項１に記載の発明は、複数である第１の数のスピーカから音場空間へ向けて音声を出力する音響装置であって、第２の数のチャンネル信号を含む第１音響信号から前記複数のスピーカそれぞれに対応する第２音響信号を生成する生成手段と；前記第１音響信号に含まれる所定種類の音声の信号を抽出する抽出手段と；前記所定種類の音声の前記音場空間における音像位置に対応して前記スピーカごとに定められた比率で、前記抽出手段による抽出結果を前記第２音響信号における前記複数のスピーカそれぞれに対応する信号に加算する補正手段と；を備えることを特徴とする音響装置である。
【００１１】
請求項１１に記載の発明は、複数のスピーカから音場空間へ向けて音声を出力する音響装置において使用される音像設定方法であって、前記スピーカの数とは異なる数のチャンネル信号を含む第１音響信号から前記複数のスピーカそれぞれに対応する第２音響信号を生成する生成工程と；前記第１音響信号に含まれる所定種類の音声の信号を抽出して補正用抽出信号を生成する抽出工程と；前記所定種類の音声の前記音場空間における音像位置に対応して前記スピーカごとに定められた比率で、前記補正用抽出信号を前記第２音響信号における前記複数のスピーカそれぞれに対応する信号に加算する補正工程と；を備えることを特徴とする音像設定方法である。
【００１２】
請求項１２に記載の発明は、請求項１１に記載の音像設定方法を演算手段に実行させる、ことを特徴とする音像設定プログラムである。
【００１３】
請求項１３に記載の発明は、請求項１２に記載の音像設定プログラムが、演算手段により読み取り可能に記録されている、ことを特徴とする記録媒体である。
【発明を実施するための最良の形態】
【００１４】
以下、本発明の実施形態を、図面を参照して説明する。なお、図面においては、同一又は同等の要素については同一の符号を付し、重複する説明を省略する。
【００１５】
［第１実施形態］
まず、本発明の第１実施形態を、図１〜図９を参照して説明する。なお、本第１実施形態の説明では、２チャンネルステレオ方式に従って作成された音声コンテンツを、４チャンネルマルチサラウンド方式で再生する場合を例示して説明する。
【００１６】
［構成］
図１には、第１実施形態に係る音響装置１００Ａの概略的な構成がブロック図にて示されている。なお、以下の説明においては、音響装置１００Ａは、車両ＣＲ（図２参照）に搭載される装置であるものとする。また、この音響装置１００Ａは、マルチチャンネルサラウンド方式の１つである４チャンネルサラウンド方式を採用しているものとする。
【００１７】
この図１に示されるように、音響装置１００Ａは、制御ユニット１１０Ａと、ドライブユニット１２０とを備えている。
【００１８】
また、音響装置１００Ａは、音出力ユニット１３０Lと、音出力ユニット１３０Rと、音出力ユニット１３０SLと、音出力ユニット１３０SRとを備えている。
【００１９】
ここで、音出力ユニット１３０Lはレフトスピーカ１３１Lを有し、音出力ユニット１３０Rはライトスピーカ１３１Rを有している。また、音出力ユニット１３０SLはサラウンドレフトスピーカ１３１SLを有し、音出力ユニット１３０SRはサラウンドライトスピーカ１３１SRを有している。
【００２０】
さらに、音響装置１００Ａは、表示ユニット１５０と、操作入力ユニット１６０とを備えている。
【００２１】
なお、制御ユニット１１０Ａ以外の要素１２０，１３０L〜１３０R，１５０，１６０は、制御ユニット１１０Ａに接続されている。
【００２２】
制御ユニット１１０Ａは、音響装置１００Ａの全体を統括制御する。この制御ユニット１１０Ａの詳細については、後述する。
【００２３】
上記のドライブユニット１２０は、音声コンテンツが記録されたコンパクトディスクＣＤがドライブユニット１２０に挿入されると、その旨を制御ユニット１１０Ａに報告する。そして、ドライブユニット１２０は、コンパクトディスクＣＤが挿入された状態で、制御ユニット１１０Ａから音声コンテンツの再生指令ＤＶＣを受けると、再生指定がなされた音声をコンパクトディスクＣＤから読み出す。かかる音声コンテンツの読み出し結果は、オーディオ信号であるコンテンツデータＣＴＤとして、制御ユニット１１０Ａへ向けて送られる。
【００２４】
なお、コンパクトディスクＣＤには、音声コンテンツが、２チャンネルステレオ方式で記録されているものとする。かかる２チャンネルステレオ方式では、音声チャンネルとして、レフトチャンネル（以下、「Ｌチャンネル」とも記す）及びライトチャンネル（以下、「Ｒチャンネル」とも記す）が利用されるようになっている。
【００２５】
上記の音出力ユニット１３０L〜１３０SRのそれぞれは、上述したスピーカ１３１L〜１３１SRの他に、制御ユニット１１０Ａから受信した音声出力信号ＡＯＳL〜ＡＯＳSRを増幅する増幅器を備えている。これらの音出力ユニット１３０L〜１３０SRは、制御ユニット１１０Ａから送られてきた音声出力信号ＡＯＳL〜ＡＯＳSRに従って、計測信号、楽曲等を再生して出力する。
【００２６】
本実施形態では、図２に示されるように、音出力ユニット１３０Lのレフトスピーカ１３１Lは、助手席側の前方ドア筐体内に配置される。このレフトスピーカ１３１Lは、助手席側を向くように配設されている。
【００２７】
音出力ユニット１３０Rのライトスピーカ１３１Rは、運転席側の前方ドア筐体内に配置される。このライトスピーカ１３１Rは、運転席側を向くように配設されている。
【００２８】
音出力ユニット１３０SLのサラウンドレフトスピーカ１３１SLは、助手席側後部の筐体内に配置される。このサラウンドレフトスピーカ１３１SLは、助手席側の後部座席を向くように配設されている。
【００２９】
音出力ユニット１３０SRのサラウンドライトスピーカ１３１SRは、運転席側後部の筐体内に配置される。このサラウンドライトスピーカ１３１SRは、運転席側の後部座席を向くように配設されている。
【００３０】
図１に戻り、上記の表示ユニット１５０は、例えば、（ｉ）液晶パネル、有機ＥＬ（Electro Luminescence）パネル、ＰＤＰ（Plasma Display Panel）等の表示デバイス１５１と、（ii）制御ユニット１１０Ａから送出された表示制御データに基づいて、表示ユニット１５０全体の制御を行うグラフィックレンダラ等の表示コントローラと、（iii）表示画像データを記憶する表示画像メモリ等を備えて構成されている。この表示ユニット１５０は、制御ユニット１１０Ａからの表示データＩＭＤに従って、操作ガイダンス情報等を表示する。
【００３１】
上記の操作入力ユニット１６０は、音響装置１００Ａの本体部に設けられたキー部、及び／又はキー部を備えるリモート入力装置等により構成される。ここで、本体部に設けられたキー部としては、表示ユニット１５０の表示デバイス１５１に設けられたタッチパネルを用いることができる。なお、キー部を有する構成に代えて、又は併用して音声認識技術を利用して音声にて入力する構成を採用することもできる。
【００３２】
この操作入力ユニット１６０を利用者が操作することにより、音響装置１００Ａの動作内容の設定が行われる。例えば、音声コンテンツの再生指令、音像位置補正等の利用者による入力が、操作入力ユニット１６０を利用して行われる。こうした入力内容は、操作入力データＩＰＤとして、操作入力ユニット１６０から制御ユニット１１０Ａへ向けて送られる。
【００３３】
次に、上記の制御ユニット１１０Ａについて説明する。上述したように、制御ユニット１１０Ａは、音響装置１００Ａの全体を統括制御する。この制御ユニット１１０Ａは、図３に示されるように、抽出制御手段、及び、補正制御手段としての制御処理部１１１Ａと、チャンネル信号処理部１１２Ａとを備えている。また、制御ユニット１１０Ａは、アナログ変換部１１４と、音量調整部１１５とを備えている。
【００３４】
上記の制御処理部１１１Ａは、操作入力ユニット１６０に入力された指令に基づいて、チャンネル信号処理部１１２Ａ及び音量調整部１１５を制御する。この制御処理部１１１Ａの詳細については、後述する。
【００３５】
上記のチャンネル信号処理部１１２Ａは、ドライブユニット１２０から送られてきたコンテンツデータＣＴＤを処理し、スピーカ１３１L〜１３１SRに対応するチャンネル処理データＰＣＤL〜ＰＣＤSRを生成する。かかる機能を有するチャンネル信号処理部１１２Ａは、図４に示されるように、チャンネル分離部２１０Ａと、生成手段としてのチャンネル分配部２２０Ａと、抽出手段としての抽出処理部２３０Ａと、補正手段としての信号補正部２４０Ａとを備えている。
【００３６】
上記のチャンネル分離部２１０Ａは、ドライブユニット１２０からのコンテンツデータＣＴＤを受ける。そして、チャンネル分離部２１０Ａは、コンテンツデータＣＴＤを展開し、オーディオ信号であるデジタル音データ信号を生成する。引き続き、チャンネル分離部２１０Ａは、生成されたデジタル音データ信号を解析し、デジタル音データ信号に含まれるチャンネル指定情報に従って、デジタル音データ信号を、２チャンネルステレオ方式におけるＬ，Ｒチャンネルに対応する２個の分離チャンネル信号ＳＣＡL，ＳＣＡRに分離する。このようにして分離された分離チャンネル信号ＳＣＡL，ＳＣＡRは、チャンネル分配部２２０Ａ及び抽出処理部２３０Ａへ向けて送られる。
【００３７】
上記のチャンネル分配部２２０Ａは、チャンネル分離部２１０Ａからの分離チャンネル信号ＳＣＡL，ＳＣＡRを受ける。そして、チャンネル分配部２２０Ａは、予め定められたアルゴリズムに従って、分離チャンネル信号ＳＣＡL，ＳＣＡRから４チャンネルサラウンド方式におけるＬ〜ＳＲチャンネルに対応する分配チャンネル信号ＤＣＡL〜ＤＣＡSRを生成する。こうして生成された分配チャンネル信号ＤＣＡL〜ＤＣＡSRは、信号補正部２４０Ａへ送られる。
【００３８】
上記の抽出処理部２３０Ａは、チャンネル分離部２１０Ａからの分離チャンネル信号ＳＣＡL，ＳＣＡRを受ける。そして、上記の抽出処理部２３０Ａは、制御処理部１１１Ａからの抽出制御信号ＥＸＣ及びバンドバスフィルタ（ＢＰＦ）制御信号ＢＰＣに従って、指定された種類の信号（例えば、セリフ音声信号）の成分を抽出し、抽出結果信号ＥＤＡを生成する。かかる機能を有する抽出処理部２３０Ａは、図５に示されるように、個別抽出手段としての適応フィルタ２３１L，２３１Rと、加算手段としての加算部２３２と、加算結果フィルタリング手段としてのバンドバスフィルタ（ＢＰＦ）２３３とを備えている。
【００３９】
上記の適応フィルタ２３１Lは、チャンネル分離部２１０Ａからの分離チャンネル信号ＳＣＡLを受ける。そして、適応フィルタ２３１Lは、制御処理部１１１Ａからの抽出制御信号ＥＸＣにより指定された上記の指定された種類の信号の情報に基づいて、分離チャンネル信号ＳＣＡLにおける当該指定された種類の信号の成分抽出を行う。かかる抽出結果は、抽出結果信号ＥＸＴLとして、加算部２３２へ送られる。
【００４０】
かかる機能を有する適応フィルタ２３１Lは、本実施形態では、不図示の直列接続された所定数の遅延部、各遅延部からの出力信号に指定係数倍する乗算部、全ての乗算部から出力された信号を加算する加算部、加算部による加算結果等に基づいて各乗算部に指定する係数を決定する係数決定部等から構成されている。すなわち、適応フィルタ２３１Lは、分離チャンネル信号ＳＣＡLについて、時間領域演算を行なって、当該指定された種類の信号の成分抽出を行うようになっている。
【００４１】
上記の適応フィルタ２３１Rは、チャンネル分離部２１０Ａからの分離チャンネル信号ＳＣＡRを受ける。そして、適応フィルタ２３１Rは、制御処理部１１１Ａからの抽出制御信号ＥＸＣにより指定された上記の指定された種類の信号の情報に基づいて、分離チャンネル信号ＳＣＡRにおける当該指定された種類の信号の成分抽出を行う。かかる抽出結果は、抽出結果信号ＥＸＴRとして、加算部２３２へ送られる。
【００４２】
なお、適応フィルタ２３１Rは、適応フィルタ２３１Lと同様に構成されている。
【００４３】
上記の加算部２３２は、適応フィルタ２３１Lからの抽出結果信号ＥＸＴLを入力端子Ｉ1で受ける。また、加算部２３２は、適応フィルタ２３１Rからの抽出結果信号ＥＸＴRを入力端子Ｉ2で受ける。そして、加算部２３２は、入力端子Ｉ1における受信信号と、入力端子Ｉ2における受信信号とを加算し、加算結果信号ＡＥＡを出力端子ＯからＢＰＦ２３３へ向けて出力する。
【００４４】
上記のＢＰＦ２３３は、加算部２３２からの加算結果信号ＡＥＡを受ける。そして、ＢＰＦ２３３は、制御処理部１１１ＡからのＢＰＦ制御信号ＢＰＣに従って、上記の指定された種類の音声に対応する帯域成分を選択的に通過させる。こうしてＢＰＦ２３３を通過した信号は、抽出結果信号ＥＤＡとして信号補正部２４０Ａへ送られる。
【００４５】
図４に戻り、上記の信号補正部２４０Ａは、チャンネル分配部２２０Ａからの分配チャンネル信号ＤＣＡL〜ＤＣＡSRを受ける。また、信号補正部２４０Ａは、抽出処理部２３０Ａからの抽出結果信号ＥＤＡを受ける。そして、信号補正部２４０Ａは、制御処理部１１１Ａからの補正制御信号ＡＣＡに従い、抽出結果信号ＥＤＡに基づいて、分配チャンネル信号ＤＣＡL〜ＤＣＡSRに対する補正をして、チャンネル処理データＰＣＤL〜ＰＣＤSRを生成する。かかる機能を有する信号補正部２４０Ａは、図６に示されるように、４個の個別補正部２４１ＡL〜２４１ＡSRを備えている。
【００４６】
上記の個別補正部２４１Ａj（ｊ＝Ｌ〜ＳＲ）のそれぞれは、補正制御信号ＡＣＡにおける個別補正制御信号ＡＣＡjによる指定に従って、分配チャンネル信号ＤＣＡjを補正する。かかる機能を有する個別補正部２４１Ａjは、図７に示されるように、可変減衰部２４６と、加算部２４７とを備えている。
【００４７】
上記の可変減衰部２４６は、抽出処理部２３０Ａからの抽出結果信号ＥＤＡを入力端子Ｉで受ける。また、可変減衰部２４６は、制御処理部１１１Ａからの個別補正制御信号ＡＣＡjを制御端子Ｃで受ける。そして、可変減衰部２４６は、個別補正制御信号ＡＣＡjにより指定された係数を抽出結果信号ＥＤＡに乗じる。可変減衰部２４６は、この乗算結果は、出力端子Ｏから、個別補正信号ＡＶＡjとして加算部２４７へ向けて出力する。
【００４８】
上記の加算部２４７は、チャンネル分配部２２０Ａからの分配チャンネル信号ＤＣＡjを入力端子Ｉ1で受ける。また、加算部２４７は、可変減衰部２４６からの個別補正信号ＡＶＡjを入力端子Ｉ2で受ける。そして、加算部２４７は、入力端子Ｉ1における受信信号と、入力端子Ｉ2における受信信号とを加算する。加算部２４７は、加算結果をチャンネル処理データＰＣＤjとして、出力端子Ｏからアナログ変換部１１４へ向けて出力する。
【００４９】
図３に戻り、上記のアナログ変換部１１４は、チャンネル信号処理部１１２Ａから送られてきたデジタル信号であるチャンネル処理データＰＣＤL〜ＰＣＤSRを、それぞれアナログ信号に変換する。このアナログ変換部１１４は、当該４種のデジタル信号に対応して、互いに同様に構成された４個のＤＡ（Digital to Analogue）変換器を備えている。このアナログ変換部１１４による変換結果であるアナログ信号ＰＢＳL〜ＰＢＳSRは、音量調整部１１５へ向けて送られる。
【００５０】
上記の音量調整部１１５は、アナログ変換部１１４からのアナログ信号ＰＢＳL〜ＰＢＳSRを受ける。そして、音量調整部１１５は、アナログ信号ＰＢＳL〜ＰＢＳSRのそれぞれに対して、制御処理部１１１Ａからの音量調整指令ＶＬＣに従って、音量を調整する。かかる調整結果は、音声出力信号ＡＯＳL〜ＡＯＳSRとして、音出力ユニット１３０L〜１３０SRへ向けて出力される。
【００５１】
次に、制御処理部１１１Ａについて説明する。この制御処理部１１１Ａは、上述した他の構成要素を制御しつつ、音響装置１００Ａの機能を発揮させる。この制御処理部１１１Ａは、利用者が再生すべき音声コンテンツの指定を支援するための案内画面を表示ユニット１５０に表示させる。そして、操作入力ユニット１６０から音声コンテンツを指定した再生指令が入力されると、制御処理部１１１Ａは、ドライブユニット１２０を制御して、再生コンテンツのデータ読み出しを制御する。
【００５２】
また、制御処理部１１１Ａは、音量調整部１１５を制御して、音出力ユニット１３０L〜１３０SRのスピーカ１３１L〜１３１SRからの出力音量を調整する。この出力音量の制御に際して、制御処理部１１１Ａは、操作入力ユニット１６０に入力された音量指定に従って音量調整指令ＶＬＣを生成し、音量調整部１１５へ向けて送る。
【００５３】
制御処理部１１１Ａは、操作入力ユニット１６０に入力された、補正対象となる音声の種類の指定に従って、上述した抽出制御信号ＥＸＣ及びＢＰＦ制御信号ＢＰＣを生成する。そして、制御処理部１１１Ａは、生成された抽出制御信号ＥＸＣ及びＢＰＦ制御信号ＢＰＣを、チャンネル信号処理部１１２Ａの抽出処理部２３０Ａへ向けて出力する。
【００５４】
また、制御処理部１１１Ａは、操作入力ユニット１６０に入力された、補正対象となる音声の音像位置の補正量（移動量）の指定に従って、上述した補正制御信号ＡＣＡを生成する。そして、制御処理部１１１Ａは、生成された補正制御信号ＡＣＡを、チャンネル信号処理部１１２Ａの信号補正部２４０Ａへ向けて出力する。
【００５５】
［動作］
次に、上記のように構成された音響装置１００Ａの動作について、音像位置の補正処理に主に着目して説明する。なお、以下の説明においては、コンテンツデータＣＴＤには、セリフ音声、背景音音声及びＢＧＭ音声の３種類の音声が含まれており、セリフ音声の音像位置を補正する場合を例示して説明する。
【００５６】
利用者が、ドライブユニット１２０にＣＤを挿入して、操作入力ユニット１６０に音声コンテンツを指定した再生指令を入力すると、その旨が、操作入力データＩＰＤとして、制御処理部１１１Ａへ送られる（図３参照）。この再生指令を受けると、制御処理部１１１Ａは、まず、補正処理を行わない指定、すなわち、上記の補正処理用の係数を「０」に指定した個別補正制御信号ＡＣＡj（ｊ＝Ｌ〜ＳＲ）を生成し、補正信号ＡＣＡとして信号補正部２４０Ａへ送る（図４及び図６参照）。
【００５７】
引き続き、制御処理部１１１Ａは、ドライブユニット１２０を制御して、再生コンテンツのデータ読み出しを制御する。かかる制御のもとでＣＤから読み出されたコンテンツデータＣＴＤは、チャンネル分離部２１０Ａへ送られる（図４参照）。コンテンツデータＣＴＤを受けたチャンネル分離部２１０Ａは、コンテンツデータＣＴＤを展開して解析し、２チャンネルステレオ方式におけるＬ，Ｒチャンネルに対応する２個の分離チャンネル信号ＳＣＡL，ＳＣＡRに分離し、チャンネル分配部２２０Ａ及び抽出処理部２３０Ａへ向けて送る（図４参照）。
【００５８】
分離チャンネル信号ＳＣＡL，ＳＣＡRを受けたチャンネル分配部２２０Ａは、予め定められたアルゴリズムに従って、分離チャンネル信号ＳＣＡL，ＳＣＡRから４チャンネルサラウンド方式におけるＬ〜ＳＲチャンネルに対応する分配チャンネル信号ＤＣＡL〜ＤＣＡSRを生成する。チャンネル分配部２２０Ａは、こうして生成された分配チャンネル信号ＤＣＡL〜ＤＣＡSRを信号補正部２４０Ａへ送る（図４参照）。
【００５９】
なお、信号補正部２４０Ａにおける信号補正用の抽出処理を行う抽出処理部２３０Ａの動作については、後述する信号補正部２４０Ａにおいて信号補正処理を行う場合に説明することにし、この段階における説明を省略する。
【００６０】
この時点では、上述のように、補正処理を行わない旨の補正制御信号ＡＣＡを制御処理部１１１Ａから受けているので、信号補正部２４０Ａは、受信した分配チャンネル信号ＤＣＡL〜ＤＣＡSRに何等の補正を行わずに、チャンネル処理データＰＣＤL〜ＰＣＤSRとして、アナログ変換部１１４へ向けて送る（図４参照）。この後、チャンネル処理データＰＣＤL〜ＰＣＤSRについて、アナログ変換部１１４においてアナログ信号に変換され、さらに、音量調整部１１５において音量調整が行われて、音声出力信号ＡＯＳL〜ＡＯＳSRが生成される。そして、音声出力信号ＡＯＳL〜ＡＯＳSRが音出力ユニット１３０L〜１３０SRに供給される（図３参照）。
【００６１】
この結果、ＣＤに記録された音声コンテンツをほぼ正確に反映した音声が、スピーカ１３１L〜１３１SRから出力される。こうしたＣＤに記録された音声コンテンツをほぼ正確に反映した音声再生による音像位置と、聴取者との位置関係の例が、図８に示されている。
【００６２】
以上のようにして再生された音声を聴取した聴取者が、例えば、セリフ音声の音像位置に違和感を覚え、セリフ音声の音像位置の補正を行う音像位置補正指令を入力すると、その旨が、操作入力データＩＰＤとして、制御処理部１１１Ａへ送られる（図３参照）。なお、音像位置補正指令では、補正対象の音声の種類（ここでは、セリフ音声）、及び、音像位置の補正量、すなわち、セリフ音像位置の移動量が指定される。
【００６３】
音像位置補正指令を受けた制御処理部１１１Ａは、音像位置補正指定において指定された補正対象音声の種類の指定に従って、上述した抽出制御信号ＥＸＣ及びＢＰＦ制御信号ＢＰＣを生成する。そして、制御処理部１１１Ａは、生成された抽出制御信号ＥＸＣ及びＢＰＦ制御信号ＢＰＣを抽出処理部２３０Ａへ向けて送る（図４参照）。
【００６４】
また、制御処理部１１１Ａは、操作入力ユニット１６０に入力された、音像位置補正指定において指定された補正対象となる音声の音像位置の補正量（移動量）の指定に従って、上述した補正制御信号ＡＣＡを生成する。そして、制御処理部１１１Ａは、生成された補正制御信号ＡＣＡを信号補正部２４０Ａへ向けて送る（図４参照）。
【００６５】
抽出制御信号ＥＸＣ及びＢＰＦ制御信号ＢＰＣを受けた抽出処理部２３０Ａは、抽出制御信号ＥＸＣ及びＢＰＦ制御信号ＢＰＣに従って、分離チャンネル信号ＳＣＡL，ＳＣＡRから指定された種類の音声信号（この場合には、セリフ音声信号）の成分を抽出する。かかる抽出処理に際しては、適応フィルタ２３１Lが、抽出制御信号ＥＸＣにより指定された上記の指定された種類の信号の情報に基づいて、分離チャンネル信号ＳＣＡLに関する上述した時間領域演算を行うことにより、分離チャンネル信号ＳＣＡLから当該指定された種類の音声信号の成分抽出を行う。かかる抽出結果は、抽出結果信号ＥＸＴLとして、加算部２３２へ送られる（図５参照）。
【００６６】
また、適応フィルタ２３１Rが、抽出制御信号ＥＸＣにより指定された上記の指定された種類の音声信号の情報に基づいて、分離チャンネル信号ＳＣＡRに関する上述した時間領域演算を行うことにより、分離チャンネル信号ＳＣＡRから当該指定された種類の音声信号の成分抽出を行う。かかる抽出結果は、抽出結果信号ＥＸＴRとして、加算部２３２へ送られる（図５参照）。
【００６７】
抽出結果信号ＥＸＴL及び抽出結果信号ＥＸＴRを受けた加算部２３２は、これらを加算し、加算結果信号ＡＥＡとして、ＢＰＦ２３３へ送る。加算結果信号ＡＥＡを受けたＢＰＦ２３３は、ＢＰＦ制御信号ＢＰＣに従って、指定された種類の音声に対応する帯域成分を選択的に通過させる。こうしてＢＰＦ２３３を通過した信号は、抽出結果信号ＥＤＡとして信号補正部２４０Ａへ送られる（図５参照）。
【００６８】
制御処理部１１１Ａからの補正制御信号ＡＣＡを受けた信号補正部２４０Ａは、補正制御信号ＡＣＡに従って、チャンネル分配部２２０Ａからの分配チャンネル信号ＤＣＡL〜ＤＣＡSRに対して、抽出処理部２３０Ａからの抽出結果信号ＥＤＡに基づく補正を行う。かかる補正処理に際しては、信号補正部２４０Ａの個別補正部２４１j（ｊ＝Ｌ〜ＳＲ）のそれぞれにおける可変減衰部２４６が、補正制御信号ＡＣＡにおける個別補正制御信号ＡＣＡjにより指定された係数を抽出結果信号ＥＤＡに乗じる。可変減衰部２４６は、この乗算結果を個別補正信号ＡＶＡjとして加算部２４７へ向けて送る（図７参照）。
【００６９】
個別補正信号ＡＶＡjを受けた加算部２４７は、チャンネル分配部２２０Ａからの分配チャンネル信号ＤＣＡjと個別補正信号ＡＶＡjとを加算する。この加算結果が、チャンネル処理データＰＣＤjとして、出力端子Ｏからアナログ変換部１１４へ向けて送られる（図７参照）。
【００７０】
この後、チャンネル処理データＰＣＤL〜ＰＣＤSRについて、上記と同様にして、アナログ変換部１１４においてアナログ信号に変換され、さらに、音量調整部１１５において音量調整が行われて、音声出力信号ＡＯＳL〜ＡＯＳSRが生成される。そして、音声出力信号ＡＯＳL〜ＡＯＳSRが音出力ユニット１３０L〜１３０SRに供給される（図３参照）。
【００７１】
この結果、ＣＤに記録された音声コンテンツにおける利用者により指定された種類の音声（この場合には、セリフ音声）の音像位置を補正した音声が、スピーカ１３１L〜１３１SRから出力される。こうしてセリフ音声の音像位置が補正された音声再生による音像位置と、聴取者との位置関係の例が、図９に示されている。
【００７２】
以上説明したように、本実施形態では、抽出処理部２３０Ａが、音声コンテンツ作成者が意図したチャンネル構成（２チャンネル構成）の信号から、指定された種類の音声の信号成分を抽出する。そして、信号補正部２４０Ａが、音声コンテンツ作成者が意図したチャンネル構成の信号が適宜分配されて生成された分配チャンネル信号ＤＣＡL〜ＤＣＡSRのそれぞれに、指定された種類の音声の音像位置の補正量に対応して分配チャンネル信号ＤＣＡL〜ＤＣＡSRごとに定める比率で、抽出結果信号ＥＤＡを加算する。この結果、再生された音声における指定された種類の音声の音像位置を選択的に補正することができる。
【００７３】
したがって、本実施形態によれば、音声コンテンツに含まれる所定種類の音声に関する音像位置を選択的に変化させることができる。
【００７４】
また、本実施形態では、音像位置の補正対象となる種類の音声と、音像位置の補正量とを、利用者が操作入力ユニット１６０への指令入力により指定できる。このため、利用者の利便性を向上させることができる。
【００７５】
［第２実施形態］
まず、本発明の第２実施形態を、図１０〜図１５を参照して説明する。なお、本第２実施形態の説明では、３チャンネルサラウンド方式に従って作成された音声コンテンツを、４チャンネルマルチサラウンド方式で再生する場合を例示して説明する。
【００７６】
前提として、当該３チャンネルサラウンド方式は、第１実施形態の場合における２チャンネルステレオ方式におけるＬチャンネル及びＲチャンネルに加えて、センタチャンネル（以下、「Ｃチャンネル」とも呼ぶ）を加えた方式であるものとする。そして、当該Ｃチャンネルが、音像位置の補正対象となる音声を主成分とするチャンネルであるものとする。
【００７７】
［構成］
図１０には、第２実施形態に係る音響装置１００Ｂの概略的な構成がブロック図にて示されている。この図１０に示されるように、音響装置１００Ｂは、上述した第１実施形態と比べて、制御ユニット１１０Ａに代えて、制御ユニット１１０Ｂを備えている点のみが異なっている。以下、この相違点に主に着目して説明する。
【００７８】
制御ユニット１１０Ｂは、図１１に示されるように、制御ユニット１１０Ａと比べて、制御処理部１１１Ａに代えて制御処理部１１１Ｂを備えるとともに、チャンネル信号処理部１１２Ａに代えてチャンネル信号処理部１１２Ｂを備える点が異なっている。
【００７９】
上記の制御処理部１１１Ｂは、操作入力ユニット１６０に入力された指令入力指令に基づいて、チャンネル信号処理部１１２Ｂ及び音量調整部１１５を制御する。この制御処理部１１１Ｂの詳細については、後述する。
【００８０】
上記のチャンネル信号処理部１１２Ｂは、図１２に示されるように、チャンネル分離部２１０Ｂと、チャンネル分配部２２０Ｂとを備えている。また、チャンネル信号処理部１１２Ｂ、抽出処理部２３０Ｂと、信号補正部２４０Ｂとを備えている。
【００８１】
上記のチャンネル分離部２１０Ｂは、ドライブユニット１２０からのコンテンツデータＣＴＤを受ける。そして、チャンネル分離部２１０Ｂは、コンテンツデータＣＴＤを展開し、オーディオ信号であるデジタル音データ信号を生成する。引き続き、チャンネル分離部２１０Ｂは、生成されたデジタル音データ信号を解析し、デジタル音データ信号に含まれるチャンネル指定情報に従って、デジタル音データ信号を、３チャンネルサラウンド方式におけるＣ，Ｌ，Ｒチャンネルに対応する３個の分離チャンネル信号ＳＣＢC〜ＳＣＢRに分離する。このようにして分離された分離チャンネル信号ＳＣＢC〜ＳＣＢRは、チャンネル分配部２２０Ｂ及び抽出部２３０Ｂへ向けて送られる。
【００８２】
上記のチャンネル分配部２２０Ｂは、チャンネル分離部２１０Ｂからの分離チャンネル信号ＳＣＢC〜ＳＣＢRを受ける。そして、チャンネル分配部２２０Ｂは、予め定められたアルゴリズムに従って、分離チャンネル信号ＳＣＢC〜ＳＣＢＲから４チャンネルサラウンド方式におけるＬ〜ＳＲチャンネルに対応する分配チャンネル信号ＤＣＢL〜ＤＣＢSRを生成する。こうして生成された分配チャンネル信号ＤＣＢL〜ＤＣＢSRは、信号補正部２４０Ｂへ送られる。
【００８３】
上記の抽出処理部２３０Ｂは、チャンネル分離部２１０Ｂからの分離チャンネル信号ＳＣＢC〜ＳＣＢRを受ける。そして、抽出処理部２３０Ｂは、制御処理部１１１Ｂからの抽出制御信号ＥＸＣ及びＢＰＦ制御信号ＢＰＣに従って、指定された種類の信号（例えば、セリフ音声信号）の成分を抽出し、抽出結果信号ＥＤＢ1，ＥＤＢ2を生成する。かかる機能を有する抽出処理部２３０Ｂは、図１３に示されるように、抽出処理部２３０Ａと、直接フィルタリング手段としてのバンドパスフィルタ（ＢＰＦ）２３５とを備えている。
【００８４】
上記の抽出処理部２３０Ａは、チャンネル分離部２１０Ｂからの分離チャンネル信号ＳＣＢL，ＳＣＢRを受ける。そして、抽出処理部２３０Ａは、制御処理部１１１Ｂからの抽出制御信号ＥＸＣ及びＢＰＦ制御信号ＢＰＣに従って、上述した第１実施形態の場合と同様に動作して、指定された種類の信号（例えば、セリフ音声信号）の成分を抽出し、抽出結果信号ＥＤＢ1を生成する。こうして生成された抽出結果信号ＥＤＢ1は、信号補正部２４０Ｂへ送られる。
【００８５】
上記のＢＰＦ２３５は、チャンネル分離部２１０Ｂからの分離チャンネル信号ＳＣＢCを受ける。そして、ＢＰＦ２３５は、制御処理部１１１ＢからのＢＰＦ制御信号ＢＰＣに従って、上記の指定された種類の音声に対応する帯域成分を選択的に通過させる。こうしてＢＰＦ２３５を通過した信号は、抽出結果信号ＥＤＢ2として信号補正部２４０Ｂへ送られる。
【００８６】
図１２に戻り、上記の信号補正部２４０Ｂは、チャンネル分配部２２０Ｂからの分配チャンネル信号ＤＣＢL〜ＤＣＢSRを受ける。また、信号補正部２４０Ｂは、抽出処理部２３０Ｂからの抽出結果信号ＥＤＢ1，ＥＤＢ2を受ける。そして、信号補正部２４０Ｂは、制御処理部１１１Ｂからの補正制御信号ＡＣＢに従い、抽出結果信号ＥＤＢ1，ＥＤＢ2に基づいて、分配チャンネル信号ＤＣＢL〜ＤＣＢSRに対する補正をして、チャンネル処理データＰＣＤL〜ＰＣＤSRを生成する。かかる機能を有する信号補正部２４０Ｂは、図１４に示されるように、４個の個別補正部２４１ＢL〜２４１ＢSRを備えている。
【００８７】
上記の個別補正部２４１Ｂj（ｊ＝Ｌ〜ＳＲ）のそれぞれは、補正制御信号ＡＣＢにおける個別補正制御信号ＡＣＢjによる指定に従って、分配チャンネル信号ＤＣＢjを補正する。かかる機能を有する個別補正部２４１Ｂjは、図１５に示されるように、個別補正部２４１Ａjと、可変減衰部２４８と、加算部２４９とを備えている。
【００８８】
上記の個別補正部２４１Ａjは、チャンネル分配部２２０Ｂからの分配チャンネル信号ＤＣＢjと、抽出処理部２３０Ｂからの抽出結果信号ＥＤＢ1とを受ける。そして、個別補正部２４１Ａjは、制御処理部１１１Ｂからの個別補正制御信号ＡＣＢjにおける信号ＡＣＢj1に従って、上述した第１実施形態の場合と同様に動作して、個別補正信号ＡＶＢj1を生成する。こうして生成された個別補正信号ＡＶＢj1は、加算部２４９へ向けて出力される。
【００８９】
なお、信号ＡＣＢj1による指定内容は、上述した第１実施形態における補正制御信号ＡＣＡjと同様の内容となっている。
【００９０】
上記の可変減衰部２４８は、抽出処理部２３０Ｂからの抽出結果信号ＥＤＢ2を入力端子Ｉで受ける。また、可変減衰部２４８は、制御処理部１１１Ｂからの個別補正制御信号ＡＣＢjにおける信号ＡＣＢj2を制御端子Ｃで受ける。そして、可変減衰部２４８は、信号ＡＣＢj2により指定された係数を抽出結果信号ＥＤＢ2に乗じる。可変減衰部２４８は、この乗算結果は、出力端子Ｏから、個別補正信号ＡＶＢj2として加算部２４９へ向けて出力する。
【００９１】
上記の加算部２４９は、個別補正部２４１Ａjからの個別補正信号ＡＶＢj1を入力端子Ｉ1で受ける。また、加算部２４９は、可変減衰部２４８からの個別補正信号ＡＶＢj2を入力端子Ｉ2で受ける。そして、加算部２４９は、入力端子Ｉ1における受信信号と、入力端子Ｉ2における受信信号とを加算する。加算部２４９は、加算結果をチャンネル処理データＰＣＤjとして、出力端子Ｏからアナログ変換部１１４へ向けて出力する。
【００９２】
図１１に戻り、次に、制御処理部１１１Ｂについて説明する。この制御処理部１１１Ｂは、上述した他の構成要素を制御しつつ、音響装置１００Ｂの機能を発揮させる。この制御処理部１１１Ｂは、第１実施形態における制御処理部１１１Ａと同様に、利用者が再生すべき音声コンテンツの指定を支援するための案内画面を表示ユニット１５０に表示させる。そして、操作入力ユニット１６０から音声コンテンツを指定した再生指令が入力されると、制御処理部１１１Ｂは、ドライブユニット１２０を制御して、再生コンテンツのデータ読み出しを制御する。
【００９３】
また、制御処理部１１１Ｂは、制御処理部１１１Ａと同様に、音量調整部１１５を制御して、音出力ユニット１３０L〜１３０SRのスピーカ１３１L〜１３１SRのからの出力音量を調整する。この出力音量の制御に際して、制御処理部１１１Ｂは、操作入力ユニット１６０に入力された音量指定に従って音量調整指令ＶＬＣを生成し、音量調整部１１５へ向けて送る。
【００９４】
また、制御処理部１１１Ｂは、制御処理部１１１Ａと同様に、操作入力ユニット１６０に入力された、補正対象となる音声の種類の指定に従って、上述した抽出制御信号ＥＸＣ及びＢＰＦ制御信号ＢＰＣを生成する。そして、制御処理部１１１Ｂは、生成された抽出制御信号ＥＸＣ及びＢＰＦ制御信号ＢＰＣを、チャンネル信号処理部１１２Ｂの抽出処理部２３０Ｂへ向けて出力する。
【００９５】
また、制御処理部１１１Ｂは、操作入力ユニット１６０に入力された、補正対象となる音声の音像位置の補正量（移動量）の指定に従って、上述した補正制御信号ＡＣＢを生成する。そして、制御処理部１１１Ｂは、生成された補正制御信号ＡＣＢを、チャンネル信号処理部１１２Ｂの信号補正部２４０Ｂへ向けて出力する。
【００９６】
［動作］
次に、上記のように構成された音響装置１００Ｂの動作について、音像位置の補正処理に主に着目して説明する。なお、以下の説明においては、第１実施形態の場合と同様に、コンテンツデータＣＴＤには、セリフ音声、背景音音声及びＢＧＭ音声の３種類の音声が含まれており、セリフ音声の音像位置を補正する場合を例示して説明する。
【００９７】
利用者が、ドライブユニット１２０にＣＤを挿入して、操作入力ユニット１６０に音声コンテンツを指定した再生指令を入力すると、その旨が、操作入力データＩＰＤとして、制御処理部１１１Ｂへ送られる（図１１参照）。この再生指令を受けると、制御処理部１１１Ｂは、第１実施形態における制御処理部１１１Ａと同様に、まず、補正処理を行わない指定、すなわち、上記の補正処理用の係数を「０」に指定した個別補正制御信号ＡＣＢj（ｊ＝Ｌ〜ＳＲ）を生成し、補正信号ＡＣＢとして信号補正部２４０Ｂへ送る（図１２及び図１４参照）。
【００９８】
引き続き、制御処理部１１１Ｂは、制御処理部１１１Ａと同様に、ドライブユニット１２０を制御して、再生コンテンツのデータ読み出しを制御する。かかる制御のもとでＣＤから読み出されたコンテンツデータＣＴＤは、チャンネル分離部２１０Ｂへ送られる（図１２参照）。コンテンツデータＣＴＤを受けたチャンネル分離部２１０Ｂは、コンテンツデータＣＴＤを展開して解析し、３チャンネルサラウンド方式におけるＣ，Ｌ，Ｒチャンネルに対応する３個の分離チャンネル信号ＳＣＢC〜ＳＣＢRに分離し、チャンネル分配部２２０Ｂ及び抽出処理部２３０Ｂへ向けて送る（図１２参照）。
【００９９】
分離チャンネル信号ＳＣＢC〜ＳＣＢRを受けたチャンネル分配部２２０Ｂは、予め定められたアルゴリズムに従って、分離チャンネル信号ＳＣＢC〜ＳＣＢRから４チャンネルサラウンド方式におけるＬ〜ＳＲチャンネルに対応する分配チャンネル信号ＤＣＢL〜ＤＣＢSRを生成する。チャンネル分配部２２０Ｂは、こうして生成された分配チャンネル信号ＤＣＢL〜ＤＣＢSRを信号補正部２４０Ｂへ送る（図１２参照）。
【０１００】
なお、信号補正部２４０Ｂにおける信号補正用の抽出処理を行う抽出処理部２３０Ｂの動作については、後述する信号補正部２４０Ｂにおいて信号補正処理を行う場合に説明することにし、この段階における説明を省略する。
【０１０１】
分離チャンネル信号ＳＣＢC〜ＳＣＢRを受けたチャンネル分配部２２０Ｂは、予め定められたアルゴリズムに従って、分離チャンネル信号ＳＣＢC〜ＳＣＢRから４チャンネルサラウンド方式におけるＬ〜ＳＲチャンネルに対応する分配チャンネル信号ＤＣＡL〜ＤＣＡSRを生成する。チャンネル分配部２２０Ｂは、こうして生成された分配チャンネル信号ＤＣＢL〜ＤＣＢSRを信号補正部２４０Ｂへ送る（図１２参照）。
【０１０２】
この時点では、上述のように、補正処理を行わない旨の補正制御信号ＡＣＢを制御処理部１１１Ｂから受けているので、信号補正部２４０Ｂは、受信した分配チャンネル信号ＤＣＢL〜ＤＣＢSRに何等の補正を行わずに、チャンネル処理データＰＣＤL〜ＰＣＤSRとして、アナログ変換部１１４へ向けて送る（図１２参照）。この後、第１実施形態の場合と同様にして、チャンネル処理データＰＣＤL〜ＰＣＤSRについて、アナログ変換部１１４においてアナログ信号に変換され、さらに、音量調整部１１５において音量調整が行われて、音声出力信号ＡＯＳL〜ＡＯＳSRが生成される。そして、音声出力信号ＡＯＳL〜ＡＯＳSRが音出力ユニット１３０L〜１３０SRに供給される（図１１参照）。この結果、ＣＤに記録された音声コンテンツをほぼ正確に反映した音声が、スピーカ１３１L〜１３１SRから出力される。
【０１０３】
以上のようにして再生された音声を聴取した聴取者が、例えば、セリフ音声の音像位置に違和感を覚え、セリフ音声の音像位置の補正を行う音像位置補正指令を入力すると、その旨が、操作入力データＩＰＤとして、制御処理部１１１Ｂへ送られる（図１１参照）。なお、音像位置補正指令では、第１実施形態の場合と同様に、補正対象の音声の種類（ここでは、セリフ音声）、及び、音像位置の補正量、すなわち、セリフ音像位置の移動量が指定される。
【０１０４】
音像位置補正指令を受けた制御処理部１１１Ｂは、音像位置補正指定において指定された補正対象音声の種類の指定に従って、上述した抽出制御信号ＥＸＣ及びＢＰＦ制御信号ＢＰＣを生成する。そして、制御処理部１１１Ｂは、生成された抽出制御信号ＥＸＣ及びＢＰＦ制御信号ＢＰＣを抽出処理部２３０Ｂへ向けて送る（図１２参照）。
【０１０５】
また、制御処理部１１１Ｂは、操作入力ユニット１６０に入力された、音像位置補正指定において指定された補正対象となる音声の音像位置の補正量（移動量）の指定に従って、上述した補正制御信号ＡＣＢを生成する。そして、制御処理部１１１Ｂは、生成された補正制御信号ＡＣＢを信号補正部２４０Ｂへ向けて送る（図１２参照）。
【０１０６】
抽出制御信号ＥＸＣ及びＢＰＦ制御信号ＢＰＣを受けた抽出処理部２３０Ｂは、抽出制御信号ＥＸＣ及びＢＰＦ制御信号ＢＰＣに従って、分離チャンネル信号ＳＣＢC〜ＳＣＢRから指定された種類の音声信号（この場合には、セリフ音声信号）の成分を抽出する。かかる抽出処理に際しては、抽出処理部２３０Ｂにおいて、抽出処理部２３０Ａが、抽出制御信号ＥＸＣ及びＢＰＦ制御信号ＢＰＣに従って、指定された種類の信号（例えば、セリフ音声信号）の成分をチャンネル分離部２１０Ｂからの分離チャンネル信号ＳＣＢL，ＳＣＢRから抽出し、抽出結果信号ＥＤＢ1を生成する。こうして生成された抽出結果信号ＥＤＢ1は、信号補正部２４０Ｂへ送られる（図１３参照）。
【０１０７】
また、抽出処理部２３０Ｂにおいては、ＢＰＦ２３５が、ＢＰＦ制御信号ＢＰＣに従って、指定された種類の音声に対応する帯域成分を選択的に通過させる。こうしてＢＰＦ２３５を通過した信号は、抽出結果信号ＥＤＢ2として信号補正部２４０Ｂへ送られる（図１３参照）。
【０１０８】
制御処理部１１１Ｂからの補正制御信号ＡＣＢを受けた信号補正部２４０Ｂは、補正制御信号ＡＣＢに従って、チャンネル分配部２２０Ｂからの分配チャンネル信号ＤＣＢL〜ＤＣＢSRに対して、抽出処理部２３０Ｂからの抽出結果信号ＥＤＢ1及びＥＤＢ2に基づく補正を行う。かかる補正処理に際しては、信号補正部２４０Ｂの個別補正部２４１Ｂj（ｊ＝Ｌ〜ＳＲ）のそれぞれにおける個別補正部２４１Ａjが、分配チャンネル信号ＤＣＢjに対して、補正制御信号ＡＣＢの個別補正制御信号ＡＣＢjにおける信号ＡＣＢj1に従って、抽出処理部２３０Ｂからの抽出結果信号ＥＤＢ1に基づく補正を行ない、個別補正信号ＡＶＢj1を生成する。こうして生成された個別補正信号ＡＶＢj1は、加算部２４９へ向けて送られる（図１５参照）。
【０１０９】
一方、個別補正部２４１Ｂjにおける可変減衰部２４８が、補正制御信号ＡＣＢにおける個別補正制御信号ＡＣＢ2により指定された係数を抽出処理部２３０Ｂからの抽出結果信号ＥＤＢj2に乗じる。可変減衰部２４８は、この乗算結果を個別補正信号ＡＶＢj2として加算部２４９へ向けて送る（図１５参照）。
【０１１０】
個別補正信号ＡＶＢj1及び個別補正信号ＡＶＢj2を受けた加算部２４９は、個別補正信号ＡＶＢj1と個別補正信号ＡＶＢj2とを加算する。この加算結果が、チャンネル処理データＰＣＤjとして、アナログ変換部１１４へ向けて送られる（図１５参照）。
【０１１１】
この後、チャンネル処理データＰＣＤL〜ＰＣＤSRについて、上記と同様にして、アナログ変換部１１４においてアナログ信号に変換され、さらに、音量調整部１１５において音量調整が行われて、音声出力信号ＡＯＳL〜ＡＯＳSRが生成される。そして、音声出力信号ＡＯＳL〜ＡＯＳSRが音出力ユニット１３０L〜１３０SRに供給される（図１１参照）。
【０１１２】
この結果、ＣＤに記録された音声コンテンツにおける利用者により指定された種類の音声（この場合には、セリフ音声）の音像位置を補正した音声が、スピーカ１３１L〜１３１SRから出力される。
【０１１３】
以上説明したように、本実施形態では、抽出処理部２３０Ｂが、音声コンテンツ作成者が意図したチャンネル構成（３チャンネル構成）の信号から、指定された種類の音声の信号成分を抽出する。そして、信号補正部２４０Ｂが、音声コンテンツ作成者が意図したチャンネル構成の信号が適宜分配されて生成された分配チャンネル信号ＤＣＢL〜ＤＣＢSRのそれぞれに、指定された種類の音声の音像位置の補正量に対応して分配チャンネル信号ＤＣＢL〜ＤＣＢSRごとに定める比率で、抽出結果信号ＥＤＢ1，ＥＤＢ2を加算する。この結果、再生された音声における指定された種類の音声の音像位置を選択的に補正することができる。
【０１１４】
したがって、本実施形態によれば、音声コンテンツに含まれる所定種類の音声に関する音像位置を選択的に変化させることができる。
【０１１５】
また、本実施形態では、音像位置の補正対象となる種類の音声と、音像位置の補正量とを、利用者が操作入力ユニット１６０への指令入力により指定できる。このため、利用者の利便性を向上させることができる。
【０１１６】
［実施形態の変形］
本発明は、上記の実施形態に限定されるものではなく、様々な変形が可能である。
【０１１７】
例えば、上記の第１実施形態では、２チャンネル構成の音声コンテンツを４チャンネル構成に変換して再生するとともに、上記の第２実施形態では、３チャンネル構成の音声コンテンツを４チャンネル構成に変換して再生するようにした。これに対して、他のチャンネル構成の変換を行う場合に、本発明を適用するようにしてもよい。ここで、変換前のチャンネル構成と変換後のチャンネル構成は同一であってもよいし、異なっていてもよい。
【０１１８】
また、上記の第１及び第２実施形態では、セリフ音声の音像位置の補正に本発明を適用したが、音像位置の補正対象の音声の種類は、セリフ音声以外の種類の任意の種類の音声とすることができる。
【０１１９】
また、上記の第１及び第２実施形態では、適応フィルタが、内部的な加算結果に基づいて内部乗算部に指定する係数を決定するようにしたが、例えば、図５におけるＢＰＦからの出力信号に基づいて内部乗算部に指定する係数を決定するようにしてもよい。
【０１２０】
また、第２実施形態における制御ユニット１１０Ｂに代えて、図１６に示されように構成された制御ユニット１１０Ｃを採用するようにすることもできる。この制御ユニット１１０Ｃは、制御ユニット１１０Ｂと比べて、制御処理部１１１Ｂに代えて第１実施形態の場合と同様の制御処理部１１１Ａを備えるとともに、チャンネル信号処理部１１２Ｂに代えてチャンネル信号処理部１１２Ｃを備える点が異なっている。
【０１２１】
このチャンネル信号処理部１１２Ｃは、図１７に示されるように、チャンネル信号処理部１１２Ｂと比べて、抽出処理部２３０Ｂに代えて抽出処理部２３０Ｃを備えるとともに、信号補正部２４０Ｂに代えて第１実施形態の場合と同様の信号補正部２４０Ａを備える点が異なっている。ここで、抽出処理部２３０Ｃは、図１８に示されるように、抽出処理部２３０Ａと似た構成となっており、抽出処理部２３０Ａと比べて、加算部２３２に代えて、加算部２３６を備えている。
【０１２２】
この加算部２３６は、加算部２３２と比べて、チャンネル分離部２１０Ｂからの分離チャンネル信号ＳＣＢCを受信する入力端子Ｉ3を更に有している。そして、加算部２３６は、上述した抽出結果信号ＥＸＴLと、抽出結果信号ＥＸＴRと、分離チャンネル信号ＳＣＢCとを加算し、加算結果信号ＡＥＣを出力端子ＯからＢＰＦ２３３へ向けて出力する。そして、ＢＰＦ２３３を通過した信号が、抽出結果信号ＥＤＣとして信号補正部２４０Ａへ送られるようになっている。
【０１２３】
以上のように構成された制御ユニット１１０Ｃを用いても、第２実施形態の場合と同様に、音声コンテンツ作成者が意図したチャンネル構成（３チャンネル構成）の信号から、４チャンネルサラウンド方式で音声出力する際の再生された音声における指定された種類の音声の音像位置を選択的に補正することができる。
【０１２４】
また、上記の第１及び第２実施形態では、ドライブユニット１２０をＣＤのドライブユニットとしたが、固定ディスクやＤＶＤのドライブユニットとすることもできる。さらに、ラジオ放送や地上デジタルテレビ放送等の放送波受信回路や外部機器の音声入力回路等とすることもできる。
【０１２５】
なお、上記の第１及び第２実施形態における制御ユニットを中央処理装置（ＣＰＵ：Central Processor Unit）やＤＳＰ（Digital Signal Processor）を備えるコンピュータシステムとして構成し、制御処理部等の機能を、プログラムの実行によっても実現するようにすることができる。これらのプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【０１２６】
【図１】本発明の第１実施形態に係る音響装置の構成を概略的に示すブロック図である。
【図２】図１の４個のスピーカの配置位置を説明するための図である。
【図３】図１の制御ユニットの構成を説明するためのブロック図である。
【図４】図３のチャンネル信号処理部の構成を説明するためのブロック図である。
【図５】図４の抽出処理部の構成を説明するためのブロック図である。
【図６】図４の信号補正部の構成を説明するためのブロック図である。
【図７】図６の個別補正部の構成を説明するためのブロック図である。
【図８】図１の装置による音像位置補正前の聴取者と音像との位置関係の例を説明するための図である。
【図９】図１の装置による音像位置補正後の聴取者と音像との位置関係の例を説明するための図である。
【図１０】本発明の第２実施形態に係る音響装置の構成を概略的に示すブロック図である。
【図１１】図１０の制御ユニットの構成を説明するためのブロック図である。
【図１２】図１１のチャンネル信号処理部の構成を説明するためのブロック図である。
【図１３】図１２の抽出処理部の構成を説明するためのブロック図である。
【図１４】図１２の信号補正部の構成を説明するためのブロック図である。
【図１５】図１４の個別補正部の構成を説明するためのブロック図である。
【図１６】制御ユニットの変形例を説明するための図である。
【図１７】図１６のチャンネル信号処理部の構成を説明するためのブロック図である。
【図１８】図１７の抽出処理部の構成を説明するためのブロック図である。
【符号の説明】
【０１２７】
１００Ａ，１００Ｂ  …  音響装置
１１１Ａ，１１１Ｂ  …  制御処理部（抽出制御手段及び補正制御手段）
１３１L〜１３１SR    …  スピーカ
２２０Ａ，２２０Ｂ  …  チャンネル分配部（生成手段）
２３０Ａ〜２３０Ｃ  …  抽出処理部（抽出手段）
２３１L，２３１R     …  適応フィルタ（個別抽出手段）
２３２，２３６      …  加算部（加算手段）
２３３              …  バンドパスフィルタ（加算結果フィルタリング手段）
２３５              …  バンドパスフィルタ（直接フィルタリング手段）
２４０Ａ，２４０Ｂ  …  信号補正部（補正手段）
【図１】
2009159428.tif 000003
【図２】
2009159428.tif 000004
【図３】
2009159428.tif 000005
【図４】
2009159428.tif 000006
【図５】
2009159428.tif 000007
【図６】
2009159428.tif 000008
【図７】
2009159428.tif 000009
【図８】
2009159428.tif 000010
【図９】
2009159428.tif 000011
【図１０】
2009159428.tif 000012
【図１１】
2009159428.tif 000013
【図１２】
2009159428.tif 000014
【図１３】
2009159428.tif 000015
【図１４】
2009159428.tif 000016
【図１５】
2009159428.tif 000017
【図１６】
2009159428.tif 000018
【図１７】
2009159428.tif 000019
【図１８】
2009159428.tif 000020